(57)【特許請求の範囲】
【請求項１】
室内空間と壁裏空間とを仕切る壁に形成された点検口の縁に沿って設けられる枠部材と、
前記枠部材が有する開口を塞ぐように取り付けられる板状の蓋部材と、
前記枠部材に形成された被係合部に対して着脱可能に係合する係合部を有し、前記係合部が前記被係合部に係合した状態で前記枠部材に保持された前記蓋部材の周縁部を室内側から覆うカバー部材と、
前記カバー部材に取り付けられ、前記係合部が前記被係合部に係合した状態で前記蓋部材の周縁部に室内空間側から当接する当接片と、を備え、
前記当接片は、可撓性を有する材料で構成され、
前記当接片における前記蓋部材と反対側の端部が前記カバー部材に取り付けられる取付位置は、前記係合部が前記被係合部に係合した状態の前記カバー部材の内周縁よりも前記係合部側であり、
前記当接片は、前記取付位置からカバー部材の内周縁に向けて延びかつ前記蓋部材の表面と直交する面と非平行な面に沿って形成された傾斜部と、前記傾斜部と一体に形成され、前記傾斜部の先端から前記蓋部材の表面に向けて延びかつ前記蓋部材の表面と直交する面に沿って形成された鉛直部とを含む、点検口装置。
【請求項２】
前記カバー部材の内周縁と前記鉛直部の内周縁とは略同一平面である請求項１に記載の点検口装置。
【請求項３】
前記被係合部と前記係合部の一方が、内側壁に突片が形成された凹部であり、前記被係合部と前記係合部の他方が、厚みの大きい増厚部が先端に形成された凸部であり、前記凹部に前記凸部を挿入して前記増厚部が前記突片を乗り越えることにより、前記係合部が前記被係合部と係合する請求項１又は２に記載の点検口装置。
【請求項４】
前記突片は、室内空間側の先端から壁裏空間側に向けて徐々に厚みが厚くなる傾斜面と、前記傾斜面の壁裏空間側の端部と内側壁とを垂直に結ぶ段差とを有し、
前記増厚部は、断面略円形状である請求項３に記載の点検口装置。
【発明の詳細な説明】
【技術分野】
【０００１】
本発明は、家屋の壁面部又は天井部等に配設された配管等を点検するために形成された点検口に取り付けられる点検口装置に関する。
【背景技術】
【０００２】
従来、建物の壁面内部を点検するために設けられる点検口は、点検口蓋（蓋部材）によって閉塞されている。この点検口蓋は、壁面内部を点検する際には開かれ、点検終了後は閉じられる。特許文献１及び２には、このような点検口の開閉構造の一例が開示されている。
【０００３】
特許文献１に開示の点検口装置は、点検口の内周面に取り付けた枠部材（垂下枠部）と、前記枠部材から点検口の中心側に向けて延びる蓋載せ枠部と、前記枠部材を構成する各辺から蓋載せ枠部に向けて弓状に突出形成された押さえ片と、蓋載せ枠部の上面と押さえ片の下端とによって挟持された蓋部材（点検蓋）とを有している（特許文献１の図１参照）。
【０００４】
特許文献１に開示の点検口装置の取付手順は、まず点検口に枠部材を取り付ける。そして、枠部材が有する開口に蓋部材を嵌め込んで、蓋部材が蓋載せ枠部と押さえ片とに挟まれるように蓋部材を配置することで枠部材の開口を閉塞する。このように蓋部材を配置することで押さえ片が蓋部材の周縁部を蓋載せ枠部に向けて押さえつけるので、枠部材に取り付けた蓋部材のガタつきを抑制することができる。
【０００５】
また別の従来例として、例えば特許文献２には、点検口の内周面に取り付ける点検口枠材の構成が開示されている。特許文献２に開示の点検口枠材は、その壁裏空間側に蓋部材を当接させる当接部と、室内空間側から蓋部材を押圧するカバー部とを有している。上記当接部に蓋部材の壁裏空間側を当接させながらカバー部で蓋部材の室内空間側の周縁部を押さえることで、蓋部材が点検口枠材から外れることを防止している。
【先行技術文献】
【特許文献】
【０００６】
【特許文献１】実公昭６２−２０５８５号公報
【特許文献２】意匠登録第１２６３７１３号公報
【発明の概要】
【発明が解決しようとする課題】
【０００７】
特許文献１に開示の点検口装置は、枠部材を蓋部材に取り付けた状態から蓋部材を取り外すときに蓋部材を一旦押し込んで押さえ片による押さえを解除し、その後、蓋部材を傾けて枠部材から蓋部材を取り外す必要があるので、蓋部材の取り外し作業が煩わしい。また特許文献２に開示の点検口装置は、蓋部材の周縁部を押さえるカバー部材が硬質の材料で構成されているので、枠部材に取り付けた蓋部材の厚みが微妙に変わると、カバー部材によって蓋部材の周縁部をしっかりと押さえることができなくなることがあった。
【０００８】
本発明は、上記の事情に鑑みてなされたものであり、蓋部材の厚みが多少異なっていても枠部材に蓋部材をしっかり取り付けることができ、かつ蓋部材の取り外しが容易な点検口装置を提供することを目的とする。
【課題を解決するための手段】
【０００９】
上記の課題を解決するために、本発明の点検口装置は、室内空間と壁裏空間とを仕切る壁に形成された点検口の縁に沿って設けられる枠部材と、前記枠部材が有する開口を塞ぐように取り付けられる板状の蓋部材と、前記枠部材に形成された被係合部に対して着脱可能に係合する係合部を有し、前記係合部が前記被係合部に係合した状態で前記枠部材に保持された前記蓋部材の周縁部を室内側から覆うカバー部材と、前記カバー部材に取り付けられ、前記係合部が前記被係合部に係合した状態で前記蓋部材の周縁部に室内空間側から当接する当接片と、を備え、前記当接片は、可撓性を有する材料で構成され、前記当接片における前記蓋部材と反対側の端部が前記カバー部材に取り付けられる取付位置は、前記係合部が前記被係合部に係合した状態の前記カバー部材の内周縁よりも前記係合部側であり、前記当接片は、前記取付位置からカバー部材の内周縁に向けて延びかつ前記蓋部材の表面と直交する面と非平行な面に沿って形成された傾斜部と、前記傾斜部と一体に形成され、前記傾斜部の先端から前記蓋部材の表面に向けて延びかつ前記蓋部材の表面と直交する面に沿って形成された鉛直部とを含む（請求項１）。
【００１０】
本発明によれば、カバー部材の係合部を枠部材の被係合部に係合させることによってカバー部材を枠部材に取り付けることができ、ここで取り付けたカバー部材によって蓋部材の周縁部を室内側から覆うことができる。これにより蓋部材が枠部材から外れることを防止することができる。しかも、上記被係合部に係合部を係合させた状態で、可撓性を有する材料で構成された当接片が蓋部材の周縁部に室内空間側から当接するので、蓋部材の厚みが多少厚くても薄くても、また蓋部材の表面に壁紙を貼り付けてその全体厚みが厚くなった場合でも、当接片が弾性変形しながら蓋部材の周縁部を押圧して蓋部材を枠部材に固定することができる。また当接片が弾性変形することにより、蓋部材とカバー部材との間の隙間が狭くなるので、蓋部材とカバー部材との段差を見にくくすることができ、良好な見栄えとすることができる。その上、カバー部材と蓋部材との隙間に指を入れ込むと、当接片が変形してこの隙間に指を入れることができるので、この隙間に指を入れてから指を押し上げることで、枠部材の被係合部に係合している係合部の係合を容易に解除することも可能となる。
【００１２】
また、当接片の取付位置がカバー部材の端部よりもカバー部材の内側に入り込んでいるので、カバー部材と蓋部材との隙間に指を引っ掛けやすくなり、この隙間に指を入れてから指を押し上げることでカバー部材を枠部材から容易に取り外すことができる。
【００１４】
さらに、当接片が傾斜部と鉛直部の接続部分で折れ曲がっているので、カバー部材と蓋部材との間に当接片が挟まれたときに当接片が変形し、蓋部材の周縁部を室内空間側から押圧することができる。また蓋部材に壁紙が貼り付けられていることで壁紙も含む蓋部材全体の厚みが厚くなっている場合にも当接片が変形することで壁紙の厚み分を吸収して蓋部材の周縁部を室内空間側から押圧することができる。しかも、当接片が折れ曲がりやすい形状となっているので、カバー部材と蓋部材との隙間に指を入れると当接片が簡単に変形し、その指を押し上げることで枠部材の被係合部に係合している係合部の係合を容易に解除することができる。
【００１５】
上記構成において、好ましくは、前記カバー部材の内周縁と前記鉛直部の内周縁とは略同一平面である（請求項２）。
【００１６】
上記構成によれば、係合部が被係合部に係合している状態（つまり当接片が蓋部材の周縁部を押さえている状態）で室内空間側から当接片がカバー部材に隠れて見えなくなるので、枠部材に蓋部材を取り付けた状態での室内空間側からの点検口装置の見栄えをよくすることができる。
【００１７】
上記構成において、好ましくは、前記被係合部と前記係合部の一方が、内側壁に突片が形成された凹部であり、前記被係合部と前記係合部の他方が、厚みの大きい増厚部が先端に形成された凸部であり、前記凹部に前記凸部を挿入して前記増厚部が前記突片を乗り越えることにより、前記係合部が前記被係合部と係合する（請求項３）。
【００１８】
上記構成によれば、凹部に対して凸部を軽く押し込むことにより、増厚部が突片を乗り越えて凹部に凸部を容易に係合させることができる。この係合状態で凸部を軽く引っ張ることにより、凸部を押し込むときとは反対方向に増厚部が突片を乗り越え、凸部を凹部から容易に取り外すことができる。このように係合部を被係合部に係合させることが容易であり、またその係合状態を容易に解除することもできる。
【００１９】
上記構成において、好ましくは、前記突片は、室内空間側の先端から壁裏空間側に向けて徐々に厚みが厚くなる傾斜面と、前記傾斜面の壁裏空間側の端部と内側壁とを垂直に結ぶ段差とを有し、前記増厚部は、断面略円形状である（請求項４）。
【００２０】
上記構成によれば、係合部を被係合部に押し込むと、断面略円形状の増厚部が被係合部の傾斜面を滑るので、被係合部の段差を超えるまで増厚部を円滑に動作させて係合部を被係合部に係合させることができる。また、係合部を係合させた状態では増厚部が段差に引っかかることにより係合状態が解除されにくくなる。しかも、蓋部材の厚みが厚いことによって係合部を被係合部に完全に係合できない場合にも、係合部の断面略円形状の湾曲面を部分的に被係合部の先端に接触させることで、係合部の湾曲面と被係合部の鉤状部の先端との間に摩擦力を働かせて被係合部が係合部から外れなくすることができる。この場合にも、当接片が蓋部材の周縁部を押さえつけることができるので、厚みがやや厚い蓋部材又は化粧シートを貼り付けた蓋部材であっても枠部材に固定することが可能となる。
【発明の効果】
【００２１】
本発明によれば、蓋部材の厚みが多少異なっていても枠部材に蓋部材をしっかり取り付けることができ、かつ蓋部材の取り外しが容易な点検口装置を提供することができる。
【図面の簡単な説明】
【００２２】
【図１】本発明の第１実施形態に係る点検口装置（枠部材に蓋部材を取り付けた状態）を室内空間側から見た正面図である。
【図２】図１におけるＩＩ−ＩＩ線断面図である。
【図３】図１におけるＩＩＩ−ＩＩＩ線断面図である。
【図４】図３における被係合部の周辺の部分拡大図である。
【図５】コーナー連結部材の斜視図である。
【図６】コーナー連結部材に２つの辺部材を取り付けた後の枠部材の一部切欠き斜視図である。
【図７】図２に示す点検口装置取付時の、蓋部材を枠部材に取り付ける前の状態を示す断面図である。
【図８】図２に示す点検口装置取付時の、蓋部材を枠部材の開口に挿入した状態を示す断面図である。
【図９】実施形態１の点検口装置において、より厚みが厚い蓋部材を取り付けた場合の図３相当図である。
【図１０】図９の蓋部材に対し壁紙を貼り付けた場合の図３相当図である。
【発明を実施するための形態】
【００２３】
以下添付図面を参照しながら、本発明の実施の形態について説明する。なお、以下の実施の形態は、本発明を具体化した例であって、本発明の技術的範囲を限定するものではない。
【００２４】
＜第１実施形態：点検口装置の構成＞
図１は、本実施形態の点検口装置（枠部材１に蓋部材２を取り付けた状態）を室内空間側から見た正面図であり、図２は図１におけるＩＩ−ＩＩ線断面図である。本実施形態の点検口装置１００は、図１及び図２に示すように、室内空間Ｓ１と壁裏空間Ｓ２とを仕切る壁材Ｋ（図２のみ図示）の点検口Ｔ１の周縁に沿って設けられる略四角形状の枠部材１と、枠部材１に取り付けられる板状の蓋部材２と、蓋部材２の周縁部を枠部材１に固定するために枠部材１に係脱可能に取り付けられるカバー部材５と、を備えている。
【００２５】
壁材Ｋは、図２に示すように下地桁材ＳＫに固定されており、床と天井とを接続する上下方向に平行な横壁である。下地桁材ＳＫは、例えば、木質材、軽量鉄骨、あるいは鋼管などで構成されている。点検口Ｔ１は、壁材Ｋに形成された略四角形状の開口である。
【００２６】
枠部材１は、点検口Ｔ１の周縁に沿って設けられ、中央に開口Ｔ２を有する略四角形状の枠体であり、当該四角形の各辺を構成する辺部材（上辺部材１ａ、下辺部材１ｂ、左辺部材１ｃ及び右辺部材１ｄ）と、辺部材１ａ〜１ｄそれぞれを連結するために枠部材１の四隅に設けられるコーナー連結部材３ａ〜３ｄと、を備えている。辺部材１ａ〜１ｄはいずれも両端が斜め４５°の角度で切り落とされた長尺状の等脚台形であり、各辺部材１ａ〜１ｄの突合せ部分をコーナー連結部材３ａ〜３ｄで連結することにより一体化している。以下、コーナー連結部材３ａ〜３ｄを「コーナー連結部材３」と記すこともある。
【００２７】
辺部材１ａ〜１ｄ及びコーナー連結部材３ａ〜３ｄはいずれも、蓋部材２を支持する強度を有する硬質材料で構成される。硬質材料としては、例えば、硬質の塩化ビニル樹脂、ＡＢＳ樹脂、ポリスチレン樹脂、ポリエチレン樹脂、ポリプロピレン樹脂、アルミニウム又はアルミニウム合金が挙げられる。
【００２８】
蓋部材２は、枠部材１の開口Ｔ２を塞ぐことができる所定厚みの略四角形の平板状の板材である。図１中、破線は蓋部材２の外周を示している。蓋部材２の外周は、図１に示すように、カバー部材５の内周縁よりも外側に位置しているので、蓋部材２が枠部材１の室内空間Ｓ１側に外れないようになっている。ここで、「外側」とは、点検口Ｔ１の中心から離れる側を意味し、「内側」とは点検口Ｔ１の中心側を意味する。
【００２９】
カバー部材５は、蓋部材２の周縁を室内空間Ｓ１側から押圧することで、蓋部材２を枠部材１内に固定している。カバー部材５は、枠部材１の各辺部材１ａ〜１ｄの室内空間Ｓ１側に各１つ計４つ取り付けられており、蓋部材２の周縁部を室内空間Ｓ１側から押さえるカバー本体部５１と、カバー本体部５１と枠部材１とを連結する連結部５２とを有している。連結部５２は、可撓性材料から構成されており、この部分を変形させることでカバー本体部５１を枠部材１に取り付けることも取り外すことも可能となる。カバー部材５の詳細は後述する。
【００３０】
図３は、図１におけるＩＩＩ−ＩＩＩ線断面図である。枠部材１を構成する辺部材１ａ〜１ｄはそれぞれ、図３に示すように、側壁１１と、基底部１２と、支持部１３と、外周端部１４と、蓋縁支持部１５と、を一体に有している。
【００３１】
側壁１１は、点検口Ｔ１の縁に対向して設けられる平板状の部材であり、点検口Ｔ１の内縁全体に亘って設けられている。側壁１１は、壁材Ｋに対向する外側壁１１ａと、外側壁１１ａよりも内側に外側壁１１ａに略平行に離間して配置された内側壁１１ｂと、外側壁１１ａと内側壁１１ｂとを内外に連結する連結壁１１ｃとを有している。
【００３２】
外側壁１１ａ及び内側壁１１ｂの壁裏空間Ｓ２側の端部が被嵌合部１１ｄとなる。被嵌合部１１ｄは、壁裏空間Ｓ２側に開放された凹溝形状であり、辺部材１ａ〜１ｄの長手方向の全体に亘って設けられている。この被嵌合部１１ｄに、コーナー連結部材３の後述する嵌合部３３が挿入されることにより、各辺部材１ａ〜１ｄがそれぞれコーナー連結部材３ａ〜３ｄに固定される。
【００３３】
図３に示すように、外側壁１１ａ及び内側壁１１ｂは、連結壁１１ｃよりも室内空間Ｓ１側に被係合部１１ｅを形成している。図４は、図３における被係合部１１ｅの周辺の部分拡大図である。被係合部１１ｅは、室内空間Ｓ１側に開放された凹溝形状を有し、辺部材１ａ〜１ｄの長手方向の全体に亘って設けられている。被係合部１１ｅを構成する内側壁１１ｂの室内空間Ｓ１側の端部には、外側壁１１ａ側に突出する鉤状部（突片）１１ｈが形成されている。この鉤状部１１ｈに、後述するカバー部材５の係合部５３を挿入することにより係合部５３が被係合部１１ｅに係合し、カバー部材５が枠部材１に固定される。鉤状部１１ｈは、図４に示すように、室内空間Ｓ１側の先端から壁裏空間Ｓ２側に向けて徐々に厚みが厚くなる傾斜面１１ｇと、傾斜面１１ｇの壁裏空間Ｓ２側の端部と内側壁１１ｂとを垂直に結ぶ段差１１ｉとを有している。傾斜面１１ｇは係合部５３が接触した時に係合部５３を被係合部１１ｅ内に案内する角度で傾斜している。段差１１ｉは、係合部５３を引っ掛けることで係合部５３が被係合部１１ｅから簡単に外れることを防止している。
【００３４】
図３に戻って、基底部１２は、内側壁１１ｂの壁裏空間Ｓ２側の端部から内側に延出する平板状の部材であり、蓋部材２が枠部材１の壁裏空間Ｓ２側に外れてしまうことを防止するために設けられる。この基底部１２の内側端部が枠部材１の内周縁となる。基底部１２の壁裏空間Ｓ２側の面は、コーナー連結部材３の後述する基底接触部３１に当接する。基底部１２には、図２に示すように、ネジあるいは釘などの固定部材Ｎの軸部を挿通する挿通孔７が形成されている。
【００３５】
支持部１３は、基底部１２の内側端部から室内空間Ｓ１側に直角に延びる蓋側延出部１３ａと、基底部１２の内側端部から壁裏空間Ｓ２側に直角に延びる下地側延出部１３ｂと、を有している。蓋側延出部１３ａは、蓋部材２の外周近傍を壁裏空間Ｓ２側から支持し、下地側延出部１３ｂは、点検口Ｔ１に枠部材１を取り付けた状態で下地桁材ＳＫに当接する。蓋側延出部１３ａの室内空間Ｓ１側の端部は、後述する蓋縁支持部１５の室内空間Ｓ１側の面と略同一平面とされている。下地側延出部１３ｂの壁裏空間Ｓ２側への延出長さは、後述するコーナー連結部材３の基底接触部３１の厚みと略同一になっている。
【００３６】
外周端部１４は、図３に示すように、外側壁１１ａの室内空間Ｓ１側の端部から外側に延出する外側延出部１４ａと、外側延出部１４ａの外側端部から壁裏空間Ｓ２側に延びる壁材当接部１４ｂとを有している。外側延出部１４ａはコーナー連結部材３の後述する延出接触部３４に接触する部分であり、この外側延出部１４ａの室内空間Ｓ１側の端部には連結部５２が取り付けられている。壁材当接部１４ｂの外側延出部１４ａから壁裏空間Ｓ２側への延出長さは、延出接触部３４の厚みと略同一となっている。枠部材１の点検口Ｔ１への取付は、壁材当接部１４ｂの壁裏空間Ｓ２側の端部を点検口Ｔ１周辺の壁材Ｋに当接させることにより行なう。
【００３７】
蓋縁支持部１５は、上記蓋側延出部１３ａの先端部分とともに蓋部材２の壁裏空間Ｓ２側を支持する部位であり、内側壁１１ｂの内側面から内側に延びている。上述のように蓋側延出部１３ａと蓋縁支持部１５との２点で蓋部材２の一辺の壁裏空間Ｓ２側が支持される。
【００３８】
カバー部材５は、カバー本体部５１と、連結部５２と、係合部５３とを有している。
【００３９】
カバー本体部５１は、図１に示すように辺部材１ａ〜１ｄの長手方向全体に亘って設けられ、開口Ｔ２の周縁の蓋部材２を室内空間Ｓ１側から保持する平板状の部材である。図４に示すようにカバー部材５を枠部材１に固定した状態（つまり係合部５３を被係合部１１ｅに係合させた状態）において、カバー本体部５１の内周縁５１ａが蓋部材２の外周縁２ａよりも内側に位置することで、蓋部材２が枠部材１の室内空間側に外れることを防止している。カバー本体部５１の内周縁５１ａよりも係合部５３側には当接片６が取り付けられている。
【００４０】
当接片６は、係合部５３が被係合部１１ｅに係合した状態で蓋部材２の周縁部に室内空間Ｓ１側から当接するものであり、当接片６の先端が蓋部材２に接するように壁裏空間Ｓ２側に突出している。図３に示すように、当接片６が蓋部材２の室内空間Ｓ１側に当接するとともに枠部材１の蓋側延出部１３ａ及び蓋縁支持部１５が蓋部材２の壁裏空間Ｓ２側に当接することで、蓋部材２が厚み方向の前後に固定される。
【００４１】
当接片６は、可撓性を有する材料で構成されており、図４に示すように、傾斜部６１と、鉛直部６２とを一体に有している。ここでの可撓性を有する材料の種類は特に限定されず、例えば、軟質の塩化ビニル樹脂、熱可塑性エラストマー等を挙げることができる。当接片６の厚みは、蓋部材２が前後に動作することを防止し得る程度の強度と、指で押し込んだ時に容易に変形し得る程度の柔軟性とのバランスを両立するという趣旨で０．３ｍｍ以上１ｍｍ以下とされている。当接片６における蓋部材２と反対側の端部がカバー部材５に取り付けられる取付位置は、係合部５３が被係合部１１ｅに係合した状態のカバー部材５の内周縁よりも係合部５３側である。
【００４２】
傾斜部６１は、カバー本体部５１の内周縁５１ａよりも係合部５３側に取り付けられており、このカバー本体部５１との取付位置を起点として蓋部材２に向けて延び、かつカバー部材５の内周縁（内側）に向けて傾斜している。言い換えると、傾斜部６１はカバー本体部５１との取付位置から内側に向けて斜めに傾斜している。鉛直部６２は、上記傾斜部６１と一体に形成され、傾斜部６１の先端から蓋部材２の表面に対して垂直に蓋部材２の表面に向けて延びている。弾性変形する前の（いわゆる自然状態の）当接片６において、傾斜部６１と鉛直部６２とは互いに所定の角度をなして交差している。鉛直部６２の先端が蓋部材２の表面に対して垂直に接するようになっており、図４に示すように、カバー部材５（カバー本体部５１）の内周縁５１ａと鉛直部６２の内周縁６２ａとは略同一平面とされている。ここで、傾斜部６１と鉛直部６２との交差角度は２０°以上７０°以下に設定されている。このような交差角度の当接片６を用いることで、蓋部材２の厚みが多少厚くなったり薄くなったりしても当接片６が適度に変形して蓋部材２の周縁部に当接する。
【００４３】
連結部５２は、カバー本体部５１の外側の端部に設けられており、カバー本体部５１と外側延出部１４ａとを連結している。連結部５２の一端はカバー本体部５１と一体化されており、連結部５２の他端は外側延出部１４ａと一体化されている。連結部５２も、当接片６と同様の可撓性材料で構成されている。かかる連結部５２を変形させることにより被係合部１１ｅに係合している係合部５３の係合を解除することか可能となる。
【００４４】
係合部５３は、枠部材１の被係合部１１ｅに挿入される凸部であり、カバー本体部５ａの長手方向全体に亘って設けられている。係合部５３は、カバー本体部５ａの蓋部材２と接する側の面から突出する平板状の首部５３ａと、首部５３ａの先端に一体に設けられた断面略円形状の増厚部５３ｂとを備えている。首部５３ａは、カバー本体部５ａの壁裏空間Ｓ２側の面から突出し、カバー本体部５ａの長手方向全体に亘って延びる平板状の部位である。図４に示すように、増厚部５３ｂの直径は、外側壁１１ａと内側壁１１ｂとの間の距離よりも若干小さく、首部５３ａの厚みは、増厚部５３ｂの直径（厚み）よりもさらに小さくなっている。図４に示すように、カバー部材５の係合部５３を被係合部１１ｅに係合させた状態では、鉤状部１１ｈの段差１１ｉが、首部５３ａと増厚部５３ｂとの境界部（括れ部）に係合している。
【００４５】
次に、コーナー連結部材３ａ〜３ｄによる辺部材１ａ〜１ｄの結合を説明する。図５はコーナー連結部材の斜視図であり、図６は、コーナー連結部材に２つの辺部材を取り付けた後の枠部材１の一部切欠き斜視図である。コーナー連結部材３は、図６に示すように辺部材１ａ〜１ｄの突合せ部分を連結するものであるが、当該連結する機能のみに留まらず、その連結部分を補強するものでもあり、図５に示すように、基底接触部３１と、側壁接触部３２と、嵌合部３３と、延出接触部３４とを一体に有している。
【００４６】
基底接触部３１は、上面視でＬ字型の平板形状を呈し、このＬ字型の２辺のそれぞれの延びる方向に４本の溶着凸部３５がＬ字型に設けられている。上記基底接触部３１の２辺のそれぞれに対して１つずつ辺部材１ａ、１ｄの基底部１２を溶着することで、図６に示すように２つの辺部材１ａ、１ｄをそれぞれ一体化する。ここでの溶着は、２つの辺部材１ａ、１ｄの基底部１２をコーナー連結部材３の基底接触部３１に接触させた上で、基底接触部３１の下側から超音波を照射して溶着凸部３５を溶融させることにより行なう。かかる溶着後には溶着凸部３５が溶融して厚みが薄くなってしまうため、図６に示すように枠部材１の完成品においては溶着凸部３５を確認することは不可能ではないにしても困難となる。この溶着手法は、上記超音波溶着に限られず、各種の溶着手段を用いることができる。
【００４７】
基底接触部３１の壁裏空間Ｓ２側の面（つまり図５における下側面）が枠部材１の四隅の壁裏空間Ｓ２側の端面となる。基底接触部３１の外側端部には、室内空間Ｓ１側に延びる側壁接触部３２が一体に設けられている。また側壁接触部３２よりも内側であって、かつ側壁接触部３２に略平行に離間して嵌合部３３が一体に設けられている。
【００４８】
２方向に延びる基底接触部３１の各先端には、コの字型に切り欠いた切欠き部７ａが設けられている。当該切欠き部７ａは、辺部材１ａ〜１ｄの挿通孔７にネジ又は釘等の固定部材Ｎを挿入するときに、当該固定部材Ｎが通過する部位であるため、上述の辺部材１ａ〜１ｄの挿通孔７の下方に設けられている。
【００４９】
側壁接触部３２は、基底接触部３１の外側端部から室内空間Ｓ１側に延びる平板状の部材であり、コーナー連結部材３ａに取り付けた辺部材１ａ、１ｄの側壁１１の外側に接触する部位である。側壁接触部３２は、外側壁１１ａの室内空間Ｓ１側の端部から壁裏空間Ｓ２側の端部までの長さと略同一長さだけ基底接触部３１の外側端部から室内空間Ｓ１側に延出している。側壁接触部３２によって辺部材１ａ、１ｄの外側壁１１ａの外側面を押さえることで、辺部材１ａ、１ｄに対して外側に力が作用した時にも各辺部材１ａ、１ｄが外側に広がることを防止し、枠部材１の形状が変形することを防止している。
【００５０】
嵌合部３３は、辺部材１ａの被嵌合部１１ｄ（外側壁１１ａと内側壁１１ｂとの間）に嵌合させる平板状の部材であり、コーナー連結部材３ａ〜３ｄと辺部材１ａ〜１ｄとの位置合わせを容易にするために設けられる。側壁接触部３２と嵌合部３３とは互いに略平行となっており、側壁接触部３２と嵌合部３３との間には外側壁１１ａが取り付けられる。嵌合部３３は、基底接触部３１のＬ字型の２辺のそれぞれに対して１つずつ計２つ設けられており、それぞれに対して辺部材１ａ、１ｄの被嵌合部１１ｄを嵌合させる。
【００５１】
嵌合部３３は、図５に示すように、被嵌合部１１ｄの間隙（内側壁１１ｂと外側壁１１ａとの間の距離）よりも厚みの小さいベース壁３２ａと、当該ベース壁３２ａの側面の一部をその厚み方向に突出させた突起３２ｂと、を有している。突起３２ｂは、ベース壁３２ａの長手方向に離間してそれぞれ４つずつ設けられており、被嵌合部１１ｄに挿入された状態の嵌合部３３が意図せず被嵌合部１１ｄから外れてしまうことを防止する。
【００５２】
延出接触部３４は、側壁接触部３２の室内空間Ｓ１側（図５の上側）の端部から外側に延出する部位であり、辺部材１ａ〜１ｄの外側延出部１４ａの壁裏空間Ｓ２側に当接する。この延出接触部３４が外側延出部１４ａに当接することにより枠部材１の外周部分が補強される。コーナー連結部材３に辺部材１ａ、１ｄを取り付けた状態で、外側延出部１４ａと延出接触部３４とを溶着してもよい。延出接触部３４の厚みは、壁材当接部１４ｂの外側延出部１４ａからの突出長さと略同一とされている。このため、コーナー連結部材３に辺部材１ａ〜１ｄを取り付けた状態において、壁材当接部１４ｂの壁裏空間Ｓ２側の面と延出接触部３４とが略同一平面を構成している。
【００５３】
＜点検口装置の使用方法＞
まず、図７に示すように、カバー部材５の係合部５３を被係合部１１ｅから外した状態の枠部材１を、点検口Ｔ１に挿入する。このとき、枠部材１は、コーナー連結部材３及び支持部１３の壁裏空間Ｓ２側の端部が下地桁材ＳＫに当接する位置まで挿入される。このとき、壁材当接部１４ｂの壁裏空間Ｓ２側の端部も壁材Ｋに当接する。そして、ネジ等の固定部材Ｎを基底部１２の挿通孔７に挿通して下地桁材ＳＫにねじ込むことにより、枠部材１を下地桁材ＳＫに固定する。
【００５４】
次に、図８に示すように、枠部材１の開口Ｔ２に蓋部材２を挿入して、蓋部材２の壁裏空間Ｓ２側の面が蓋側延出部１３ａ及び蓋縁支持部１５に当接する位置まで蓋部材２を押し込む。
【００５５】
次いで、図２に示すように、カバー部材５の係合部５３を辺部材１ａ〜１ｄの被係合部１１ｅ内に押し込むことにより、係合部５３の増厚部５３ｂを鉤状部１１ｈに係合させる。係合部５３の先端が断面円弧状になっているので、係合部５３を被係合部１１ｅに押し込むことで、増厚部５３ｂが傾斜面１１ｇを円滑に滑って被係合部１１ｅ内に案内される。カバー部材５の係合部５３を被係合部１１ｅに係合させた状態では、増厚部５３ｂが段差１１ｉに引っかかるので、係合部５３の係合状態は解除されにくく係合がロックされた状態となっている。しかも、当接片６の先端が蓋部材２の室内空間Ｓ１側の面に当接しているので、蓋部材２が枠部材１から外れることを防止することができる。
【００５６】
なお、壁裏空間Ｓ２内を点検するために枠部材１から蓋部材２を取り外す際には、上述の枠部材１に蓋部材２を取り付ける順序と逆の順序で作業を行えばよい。具体的には、まず、図２に示す状態において、カバー部材５と蓋部材２との隙間に指を入れる。ここで、カバー部材５と蓋部材２との間に位置する当接片６が可撓性を有する材料で構成されているので、上記隙間に指を入れると当接片６が弾性変形して容易に指を挿入することが可能となる。そして、この指を引き上げることにより被係合部１１ｅによる係合部５３の係合状態を解除し、図８に示すようにカバー部材５の係合部５３を枠部材１から取り外す。そして、蓋部材２の室内空間Ｓ１側の面に設けられた図外の把手を持って、蓋部材２を室内空間Ｓ１側に引っ張ることにより、図７に示すように蓋部材２を枠部材１から取り外す。このようにして、枠部材１の開口Ｔ２から壁裏空間Ｓ２内を点検することができる。
【００５７】
＜作用効果等＞
上記実施形態の点検口装置１００は、室内空間Ｓ１と壁裏空間Ｓ２とを仕切る壁材Ｋに形成された点検口Ｔ１の縁に沿って設けられる枠部材１と、枠部材１が有する開口Ｔ２を塞ぐように取り付けられる板状の蓋部材２と、枠部材１に形成された被係合部１１ｅに対して着脱可能に係合する係合部５３を有し、係合部５３を被係合部１１ｅに係合した状態で枠部材１に保持された蓋部材２の周縁部を室内側から覆うカバー部材５と、を有しているので、カバー部材５の係合部５３を枠部材１の被係合部１１ｅに係合させることによってカバー部材５を枠部材１に取り付けることができ、ここで取り付けたカバー部材５によって蓋部材２の周縁部を室内側から覆うことができる。これにより蓋部材２が枠部材１から外れることを防止することができる。
【００５８】
上記カバー部材５には、係合部５３が被係合部１１ｅに係合した状態で蓋部材２の周縁部に室内空間Ｓ１側から当接する当接片６が取り付けられているので、上記被係合部１１ｅに係合部５３を係合させた状態で、当接片６が蓋部材２の周縁部を室内空間Ｓ１側から当接することにより蓋部材２を枠部材１にしっかり固定することができる。
【００５９】
図９は、上記実施形態における厚みがより厚い蓋部材を取り付けた場合の図３相当図であり、図１０は、上記蓋部材に対し壁紙２１を貼り付けた場合の図３相当図である。図９に示すように厚みが多少厚い蓋部材２’を枠部材１に取り付けた場合でも、また図１０に示すように蓋部材２’の表面に壁紙２１を貼り付けてその全体厚みが厚くなった場合でも、当接片６が可撓性を有する材料で構成されているので、当接片６が弾性変形しながら蓋部材２’の周縁部を押圧して蓋部材２’を枠部材１に固定することができる。
【００６０】
しかも、蓋部材２’とカバー部材５との間に位置する当接片６が弾性変形することにより、蓋部材２’とカバー部材５との間の隙間が狭くなるので、蓋部材２’とカバー部材５との段差を見えにくくすることができ、良好な見栄えとすることができる。その上、カバー部材５と蓋部材２’との隙間に指を入れ込むと、当接片６が変形してこの隙間に指を入れることができるので、この隙間に指を入れてから指を押し上げることで、枠部材１の被係合部１１ｅに係合している係合部５３の係合を容易に解除することも可能となる。
【００６１】
上記実施形態において、当接片６における蓋部材２’と反対側の端部がカバー部材５に取り付けられる取付位置は、係合部５３が被係合部１１ｅに係合した状態のカバー部材５の内周縁よりも係合部５３側であるので、当接片６がカバー部材５の端部よりもカバー部材５の内側に入り込んでいる。このため、カバー部材５と蓋部材２’との隙間に指を引っ掛けやすくなり、この隙間に指を入れてから指を押し上げることでカバー部材５を枠部材１から容易に取り外すことができる。
【００６２】
上記実施形態において、当接片６は、傾斜部６１と鉛直部６２との接続部分で折れ曲がった形状をしているので、カバー部材５と蓋部材２’との間に当接片６が挟まれたときに当接片６が変形し、蓋部材２’の周縁部を室内空間Ｓ１側からしっかりと押圧することができる。また図１０に示すように蓋部材２’に壁紙２１が貼り付けられていることで壁紙２１も含む蓋部材２’全体の厚みが厚くなっている場合にも当接片６が壁紙２１の厚み分だけ変形することで壁紙２１の厚み誤差を吸収することができる。つまり、壁紙２１の厚みが薄いときには、当接片６がほとんど弾性変形せず、壁紙２１の厚みが厚いときには当接片６が大幅に弾性変形することにより異なる厚みの壁紙２１を貼り付けても当接片６が壁紙２１の厚みの差を吸収しつつ壁紙２１の表面に当接する。しかも、当接片６が可撓性を有する材料で構成されているので、カバー部材５と蓋部材２’との隙間に指を入れると当接片６が容易に変形し、枠部材１の被係合部１１ｅに係合している係合部５３の係合を容易に解除することができる。
【００６３】
上記実施形態において、カバー部材５の内周縁５１ａと鉛直部６２の内周縁６２ａとが略同一平面となっているので、係合部５３が被係合部１１ｅに係合している状態（つまり当接片６が蓋部材２の周縁部を押さえている状態）で室内空間Ｓ１側から当接片６がカバー部材５に隠れて見えなくなる。このため、枠部材１に蓋部材２を取り付けた状態での室内空間Ｓ１側からの点検口装置１００の見栄えをよくすることができる。
【００６４】
上記実施形態において、被係合部１１ｅが内側壁１１ｂに鉤状部１１ｈが形成された凹部であり、係合部５３が厚みの大きい増厚部５３ｂが先端に形成された凸部であり、被係合部１１ｅに係合部５３を挿入して増厚部５３ｂが鉤状部１１ｈを乗り越えることにより係合部５３が被係合部１１ｅと係合する。被係合部１１ｅに対して係合部５３を軽く押し込むことによって、増厚部５３ｂが鉤状部１１ｈを乗り越えて凹部に凸部を容易に係合させることができるし、この係合状態で凸部を軽く引っ張ることにより、凸部を押し込むときとは反対方向に増厚部５３ｂが鉤状部１１ｈを乗り越え、凸部を凹部から容易に取り外すことができる。このように係合部５３を被係合部１１ｅに係合させやすいし、またその係合状態を容易に解除することもできる。
【００６５】
上記実施形態において、鉤状部１１ｈは、室内空間Ｓ１側の先端から壁裏空間Ｓ２側に向けて徐々に厚みが厚くなる傾斜面１１ｇと、傾斜面１１ｇの壁裏空間Ｓ２側の端部と内側壁１１ｂとを垂直に結ぶ段差１１ｉとを有し、増厚部５３ｂは断面略円形状であるので、係合部５３を被係合部１１ｅに押し込むと、断面略円形状の増厚部５３ｂが被係合部１１ｅの傾斜面１１ｇを滑って、被係合部１１ｅの段差１１ｉを超えるまで増厚部５３ｂを円滑に動作させて係合部５３を被係合部１１ｅに係合させることができる。しかも、係合部５３を係合させた状態では、増厚部５３ｂが段差１１ｉに引っかかるので係合状態が解除されにくくなっている。
【００６６】
また、図１０に示すように壁紙２１の厚みが厚いことによって係合部５３を被係合部１１ｅに完全に係合できない場合にも、係合部５３の断面略円形状の湾曲面を部分的に被係合部１１ｅの先端に接触させることができるので、係合部５３の湾曲面と被係合部１１ｅの鉤状部１１ｈの先端との間に摩擦力を働かせて被係合部１１ｅが係合部５３から外れなくすることができる。この場合にも、当接片６が蓋部材２’の周縁部を押さえつけることができるので、厚みがやや厚い蓋部材２’又は壁紙２１を貼り付けた蓋部材２’であっても枠部材１に固定することが可能となる。
【００６７】
上記実施形態において、枠部材１を構成する辺部材１ａ〜１ｄ及びコーナー連結部材３ａ〜３ｄがいずれも硬質材料で構成されているので、枠部材１に対して外力が加わっても枠部材１が殆ど変形することなく、蓋部材２’をしっかりと支持することができる。
【００６８】
上記実施形態において、蓋側延出部１３ａの室内空間Ｓ１側の端部が蓋縁支持部１５の室内空間Ｓ１側の面と略同一平面となっているので、蓋部材２’の壁裏空間Ｓ２側の外周及びその近傍領域を蓋側延出部１３ａと蓋縁支持部１５との２点で支持することができる。しかも、蓋部材２’の壁裏空間Ｓ２側の蓋側延出部１３ａ及び蓋縁支持部１５と、蓋部材２’の室内空間Ｓ１側の当接片６とで蓋部材２’を挟持することで、枠部材１に取り付けた蓋部材２’が枠部材１内でガタつくことを抑制することができる。
【００６９】
また、下地側延出部１３ｂの壁裏空間Ｓ２側への延出長さが、後述するコーナー連結部材３の基底接触部３１の厚みと略同一になっているので、辺部材１ａ〜１ｄにコーナー連結部材３ａ〜３ｄを取り付けたときに基底接触部３１の壁裏空間Ｓ２側の面と下地側延出部１３ｂの壁裏空間Ｓ２側の面とがいずれも下地桁材ＳＫに当接するので、下地桁材ＳＫに取り付けた枠部材１が安定しやすい。
【００７０】
しかも、壁材当接部１４ｂの外側延出部１４ａから壁裏空間Ｓ２側への延出長さが、延出接触部３４の厚みと略同一となっているので、壁材Ｋに枠部材１を取り付けたときに、壁材当接部１４ｂ及び延出接触部３４の両方が壁材Ｋに当接することになるので、壁材Ｋに取り付けた枠部材１が安定しやすい。
【００７１】
カバー部材５は、可撓性の連結部５２を介して辺部材１ａ〜１ｄと一体化されているので、連結部５２を曲げ伸ばしすることにより、カバー部材５を辺部材１ａ〜１ｄに連結した状態のまま、辺部材１ａ〜１ｄに対してカバー部材５を動作させることができる。つまり、カバー部材５が辺部材１ａ〜１ｄから完全に分離することがないので、係合部５３の係合を解除したときにカバー部材５を紛失することを防止することができる。
【００７２】
上記実施形態においては、内側壁１１ｂの先端部に鉤状部１１ｈを形成しているが、鉤状部１１ｈを外側壁１１ａの先端部に形成してもよいし、鉤状部１１ｈを内側壁１１ｂと外側壁１１ａの双方に形成してもよい。鉤状部１１ｈを外側壁１１ａに形成する場合には、鉤状部１１ｈは内側壁１１ｂ側に突出する。
【００７３】
上記実施形態においては、側壁１１に被係合部１１ｅを形成し、カバー部材５に係合部５３を形成しているが、逆に、カバー部材５に被係合部を形成し、側壁１１に係合部を形成してもよい。
【００７４】
上記実施形態において、側壁１１は、外側壁１１ａと内側壁１１ｂの２枚を平行に離間して設け、その略中央部を連結壁１１ｃによって連結したものを用いているが、上記実施形態のみに限られず、例えば外側壁１１ａと内側壁１１ｂとが一体の板状部材を構成し、当該板状部材の室内空間Ｓ１側及び壁裏空間Ｓ２側にそれぞれ各１つの凹溝（被係合部及び被嵌合部）が設けられる形態であってもよい。
【００７５】
上記実施形態においては、係合部５３の先端部の断面が略断面円形状である増厚部５３ｂを説明したが、増厚部５３ｂの断面形状は、三角形状（矢尻状）であってもよい。
【００７６】
上記実施形態においては、基底接触部３１に対して４本のＬ字型の溶着凸部３５を設ける場合を説明したが、上記溶着凸部３５の本数は４本に限定されず、３本以下であっても５本以上であってもよい。
【００７７】
上記実施形態においては、点検口装置１００に取り付ける壁材Ｋが側壁の場合を説明したが、天井の点検口又は床下点検口に取り付けてもよい。
【符号の説明】
【００７８】
Ｋ  壁材
Ｎ  固定部材
Ｓ１  室内空間
Ｓ２  壁裏空間
Ｔ１  点検口
Ｔ２  開口
１  枠部材
２  蓋部材
３  コーナー連結部材
５  カバー部材
６  当接片
１１  側壁
１１ｄ  被嵌合部
１１ｅ  被係合部
１１ｇ  傾斜面
１１ｈ  鉤状部（突片）
１１ｉ  段差
２１  壁紙
３１  基底接触部
３２  側壁接触部
３３  嵌合部
３４  延出接触部
３５  溶着凸部
５１  カバー本体部
５２  連結部
５３  係合部
５３ａ  首部
５３ｂ  増厚部
６１  傾斜部
６２  鉛直部
６２ａ  内周縁
１００  点検口装置
【図１】
0006697290.tif 000002
【図２】
0006697290.tif 000003
【図３】
0006697290.tif 000004
【図４】
0006697290.tif 000005
【図５】
0006697290.tif 000006
【図６】
0006697290.tif 000007
【図７】
0006697290.tif 000008
【図８】
0006697290.tif 000009
【図９】
0006697290.tif 000010
【図１０】
0006697290.tif 000011